(57)【要約】【課題】この発明は、映像を伴う伝言が再生される場合においても、通常のテレビ放送番組の映像を見ることができるテレビジョン受像機を提供することを目的とする。【解決手段】映像および音声からなる伝言データを記録手段に記録する機能と記録手段に記録されている伝言データを再生する機能とを備えたテレビジョン受像機において、映像および音声からなる伝言データを再生する際には、映像表示モードを表示画面を２画面に分割して各画面に異なる映像を表示させる２画面表示モードに切り換え、一方の第１画面に受信番組の映像を表示し、他方の第２画面に伝言映像を表示させる手段を備えている。【選択図】図１
2007295100.tif 000002
【特許請求の範囲】
【請求項１】
映像および音声からなる伝言データを記録手段に記録する機能と記録手段に記録されている伝言データを再生する機能とを備えたテレビジョン受像機において、
映像および音声からなる伝言データを再生する際には、映像表示モードを表示画面を２画面に分割して各画面に異なる映像を表示させる２画面表示モードに切り換え、一方の第１画面に受信番組の映像を表示し、他方の第２画面に伝言映像を表示させる手段を備えていることを特徴とするテレビジョン受像機。
【請求項２】
映像および音声からなる伝言データを記録手段に記録する機能と記録手段に記録されている伝言データを再生する機能とを備えているとともに、左右２つのスピーカーを備えたテレビジョン受像機において、
映像および音声からなる伝言データを再生する際には、映像表示モードを表示画面を左右２画面に分割して各画面に異なる映像を表示させる２画面表示モードに切り換え、一方の第１画面に受信番組の映像を表示し、他方の第２画面に伝言映像を表示させる手段、および
映像および音声からなる伝言データを再生する際には、上記第１画面に対応する側のスピーカーから受信番組の音声を出力し、上記第２画面に対応する側のスピーカーから伝言音声を出力させる手段、
を備えていることを特徴とするテレビジョン受像機。
【発明の詳細な説明】
【技術分野】
【０００１】
この発明は、伝言機能を備えたテレビジョン受像機に関する。
【背景技術】
【０００２】
映像および音声からなる伝言を記録する機能と、記録されている伝言を再生する機能とを備えたテレビジョン受像機が既に開発されている（特開平６−３２３３７号公報等参照）。
【０００３】
従来では、映像を伴う伝言が再生される場合には、テレビ画面には伝言の映像が表示されるため、視聴者は通常のテレビ放送番組の映像を見ることができなかった。
【特許文献１】特開平６−３２３３７号公報
【発明の開示】
【発明が解決しようとする課題】
【０００４】
この発明は、映像を伴う伝言が再生される場合においても、通常のテレビ放送番組の映像を見ることができるテレビジョン受像機を提供することを目的とする。
【課題を解決するための手段】
【０００５】
請求項１に記載の発明は、映像および音声からなる伝言データを記録手段に記録する機能と記録手段に記録されている伝言データを再生する機能とを備えたテレビジョン受像機において、映像および音声からなる伝言データを再生する際には、映像表示モードを表示画面を２画面に分割して各画面に異なる映像を表示させる２画面表示モードに切り換え、一方の第１画面に受信番組の映像を表示し、他方の第２画面に伝言映像を表示させる手段を備えていることを特徴とする。
【０００６】
請求項２に記載の発明は、映像および音声からなる伝言データを記録手段に記録する機能と記録手段に記録されている伝言データを再生する機能とを備えているとともに、左右２つのスピーカーを備えたテレビジョン受像機において、映像および音声からなる伝言データを再生する際には、映像表示モードを表示画面を左右２画面に分割して各画面に異なる映像を表示させる２画面表示モードに切り換え、一方の第１画面に受信番組の映像を表示し、他方の第２画面に伝言映像を表示させる手段、および映像および音声からなる伝言データを再生する際には、上記第１画面に対応する側のスピーカーから受信番組の音声を出力し、上記第２画面に対応する側のスピーカーから伝言音声を出力させる手段を備えていることを特徴とする。
【発明の効果】
【０００７】
この発明によれば、映像を伴う伝言が再生される場合においても、通常のテレビ放送番組の映像を見ることができるようになる。
【発明を実施するための最良の形態】
【０００８】
以下、図面を参照して、この発明の実施例について説明する。
【実施例１】
【０００９】
図１は、伝言機能を備えたテレビジョン受像機の構成を示している。
【００１０】
チューナー１０７から出力される映像・音声信号は、映像音声信号処理回路１０８に送られる。映像音声信号処理回路１０８によって得られた映像信号は、ＣＰＵ１０９およびスケーラー１１０を介してディスプレイ１１３に送られる。映像音声信号処理回路１０８によって得られた音声信号は、ＣＰＵ１０９を介して右スピーカー１１１および左スピーカー１１２に送られる。ＣＰＵ１０９には、ハードディスク１０３、人を検出するための人感センサ１２１ー等が接続されている。
【００１１】
カメラ１０１およびマイク１０５は伝言データを入力するために用いられる。伝言入力は、例えば、図示しないリモコン送信機の伝言入力キーを押下げている間に行なわれる。伝言の映像はカメラ１０１で撮影され、映像信号処理回路１０２で処理された後、ハードディスク１０３に記録される。伝言の音声はマイク１０５で集音され、音声信号処理回路１０６で処理された後、ハードディスク１０３に記録される。伝言者は、番組視聴および伝言データの記録を終了すると、テレビの電源をオフする。
【００１２】
このテレビジョン受像機では伝言機能に関して、図２の伝言設定メニューにより、次のような設定が可能となっている。
【００１３】
（１）人感センサーオンの設定：人感センサーによって人が検出された場合に自動的にテレビの電源をオンさせるか否かの設定。設定値には、”する”、”しない”がある。
（２）電源オン時の出力の設定：テレビの電源がオンされた場合に伝言を出力させるか否かの設定。設定値には、”する”、”しない”がある。
（３）伝言記録設定：映像と音声の両方からなる伝言データを記録するか、音声のみの伝言データを記録するかの設定。設定値には、”映像と音声”、”音声のみ”とがある。
【００１４】
ここでは、人感センサーオンの設定として”する”が設定され、電源オン時の出力の設定として”する”が設定され、伝言記録設定として”映像と音声”が設定されているものとする。
【００１５】
図３は、テレビの電源がオンされたときの動作を示している。
【００１６】
人感センサー１２１によって人が検出されるかまたはユーザによってテレビの電源がオンされると（ステップＳ１）、ＣＰＵ１０９は伝言データが記録されているか否かを判別する（ステップＳ２）。伝言データが記録されていない場合には、図４に示すように、チューナー１０７によって選局されている番組の映像をディスプレイ１１３に表示させるとともに当該番組の音声をスピーカー１１１、１１２から出力させる（ステップＳ１５）。
【００１７】
上記ステップＳ２において、伝言データが記録されていると判別した場合には、ＣＰＵ１０９は、伝言データが映像および音声からなるデータであるか、音声のみからなるデータであるかを判別する（ステップＳ３）。
【００１８】
伝言データが映像および音声からなるデータであると判別した場合には、ＣＰＵ１０９はスケーラー１１０の設定を変更し、映像表示モードを２画面表示モードに切り換える（ステップＳ４）。そして、図５に示すように、ディスプレイ１１３の左画面にはチューナー１０７によって選局されている番組の映像を表示させ（ステップＳ５）、ディスプレイ１１３の右画面にはハードディスク１０３に記録されている伝言映像を表示させる（ステップＳ６）。
【００１９】
また、左スピーカー１１２にチューナー１０７によって選局されている番組の音声を出力し（ステップＳ７）、右スピーカー１１１にハードディスク１０３に記録されている伝言音声を出力する（ステップＳ８）。
【００２０】
映像と音声とからなる伝言データの再生が終了すると（ステップＳ９）、ＣＰＵ１０９はスケーラー１１０の設定を変更し、映像表示モードを１画面表示モードに切り換える（ステップＳ１０）。そして、チューナー１０７によって選局されている番組の映像をディスプレイ１１３に表示させるとともに当該番組の音声をスピーカ１１１、１１２から出力させる（ステップＳ１５）。
【００２１】
上記ステップＳ３において、伝言データが音声のみからなるメッセージであると判別した場合には、チューナー１０７によって選局されている番組の映像をディスプレイ１１３に表示させる（ステップＳ１１）。また、左スピーカー１１２にチューナー１０７によって選局されている番組の音声を出力し（ステップＳ１２）、右スピーカー１１１にハードディスク１０３に記録されている伝言音声を出力する（ステップＳ１３）。
【００２２】
音声のみからなる伝言データの再生が終了すると（ステップＳ１４）、チューナー１０７によって選局されている番組の映像をディスプレイ１１３に表示させるとともに当該番組の音声をスピーカ１１１、１１２から出力させる（ステップＳ１５）。
【００２３】
上記実施例では、伝言再生時には、伝言の音声と選局されている番組の音声の両方をスピーカーから出力させているが、選局されている番組の音声をミュートさせ、伝言の音声のみをスピーカーから出力させるようにしてもよい。
【００２４】
なお、ハードディスク１０３に記録された伝言データの消去方法としては、その伝言データが再生された後に自動的に消去するようにしてもよいし、リモコン送信機に伝言消去キーを設け、伝言消去キーが押下げられたときにハードディスク１０３内の伝言データを消去させるようにしてもよい。後者の場合には、リモコン送信機に伝言再生キーを設け、テレビの電源がオンされた場合の他、伝言再生キーを押下げたときにハードディスク１０３内の伝言データを再生させるようにすることもできる。
【図面の簡単な説明】
【００２５】
【図１】テレビジョン受像機の構成を示すブロック図である。
【図２】伝言設定メニューの一例を示す模式図である。
【図３】テレビの電源がオンされたときの動作を示すフローチャートである。
【図４】選局されている番組の映像がディスプレイ１１３に表示されている様子を示す模式図である。
【図５】ディスプレイ１１３の左画面に選局されている番組の映像が表示され、ディスプレイ１１３の右画面に伝言映像が表示されている様子を示す模式図である。
【符号の説明】
【００２６】
１０１  カメラ
１０２  映像信号処理回路
１０３  ハードディスク
１０５  マイク
１０６  音声信号処理回路
１０７  チューナー
１０８  映像音声信号処理回路
１０９  ＣＰＵ
１１０  スケーラー
１１１、１１２  スピーカー
１１３  ディスプレイ
【図１】
2007295100.tif 000003
【図２】
2007295100.tif 000004
【図３】
2007295100.tif 000005
【図４】
2007295100.tif 000006
【図５】
2007295100.tif 000007